(57)【要約】【課題】折り畳み式携帯電話の閉じるときのクッション機能を保持しつつ部品点数を削減する。【解決手段】キー側筐体３のフロントケース９にクッション穴２２を空け、ラバーシート１２のクッション穴２２に対応する位置に同じ平面形状の部分を突出させクッション２１とし、クッション２１の上部をクッション穴２２に嵌め込んでいる。クッション２１の下端面は、接着シート１４を介して基板１５に接し、上端面は、フロントケース９の表面より少し上に突出して、閉じた液晶側筐体２を受けるように形成されている。クッション２１は、ラバーシート１２とともにシリコンゴムで形成され、弾性により液晶側筐体２の衝突を緩衝する機能を果たしつつ、ラバーシート１２と一体化され、折り畳み式携帯電話の部品点数を削除する効果を奏している。 【選択図】      図６
2005159566.tif 000002
【特許請求の範囲】
【請求項１】
第一の筐体と、この第一の筐体に対し開閉自在にヒンジを介して取り付けられた第二の筐体と、前記第一の筐体のフロントケースに設けられたクッション穴に嵌め込まれ前記第二の筐体が閉じた時に当接するクッションと、前記第一の筐体に設けられたキーと、前記第一の筐体内に前記クッションおよび前記キーの内側の位置を占めるように設けられた基板と、この基板上に設けられ前記キーの操作により動作させられるスイッチと、このスイッチを覆うともに前記クッションと一体に形成されたラバーシートとを含むことを特徴とする折り畳み式携帯用端末装置。
【請求項２】
第一の筐体と、この第一の筐体に対し開閉自在にヒンジを介して取り付けられた第二の筐体と、前記第一の筐体のフロントケースに設けられたクッション穴に嵌め込まれ前記第二の筐体が閉じた時に当接するクッションと、前記第一の筐体に設けられたキーと、前記第一の筐体内に前記クッションおよび前記キーの内側の位置を占めるように設けられた基板と、この基板上に設けられ前記キーの操作により動作させられるスイッチと、このスイッチを覆うラバーシートとを含み、前記クッションはインサート成形により前記ラバーシートと一体化されていることを特徴とする折り畳み式携帯用端末装置。
【請求項３】
第一の筐体と、この第一の筐体に対し開閉自在にヒンジを介して取り付けられた第二の筐体と、前記第一の筐体のフロントケースに設けられたクッション穴に嵌め込まれ前記フロントケースに隠された内側の部分の面積が前記クッション穴から露出した表面の面積よりも大きく前記第二の筐体が閉じた時に当該表面に当接するクッションと、前記第一の筐体に設けられたキーと、前記第一の筐体内に前記クッションおよび前記キーの内側の位置を占めるように設けられた基板と、この基板上に設けられ前記キーの操作により動作させられるスイッチと、このスイッチを覆い前記クッションと一体となっているラバーシートとを含むことを特徴とする折り畳み式携帯用端末装置。
【請求項４】
第一の筐体と、この第一の筐体に対し開閉自在にヒンジを介して取り付けられた第二の筐体と、前記第一の筐体のフロントケースに設けられたクッション穴に嵌め込まれ前記第二の筐体が閉じた時に当接するクッションと、前記第一の筐体に設けられたキーと、前記第一の筐体内に前記クッションおよび前記キーの内側の位置を占めるように設けられた基板と、この基板上に設けられ前記キーの操作により動作させられるスイッチと、このスイッチを覆うラバーシートとを含み、
前記クッションは、付加部分および、他の部分から構成され、予め形成された付加部分を成型用金型に入れて当該成型用金型に一の成型用部材を充填することにより前記他の部分および前記ラバーシートを成型し、前記付加部分、前記他の部分および前記ラバーシートがインサート成型を用いて一体化されていることを特徴とする折り畳み式携帯端末装置。
【請求項５】
前記付加部分の占める領域は、前記他の部分の占める領域と前記クッションの厚さ方向において分割されていることを特徴とする請求項４に記載の折り畳み式携帯用端末装置。
【請求項６】
第一の筐体と、この第一の筐体に対し開閉自在にヒンジを介して取り付けられた第二の筐体と、前記第一の筐体に設けられたクッション穴と、前記第一の筐体に設けられたキーと、前記第一の筐体内に前記クッション穴および前記キーの内側の位置を占めるように設けられた基板と、この基板上に設けられ前記キーの操作により動作させられるスイッチと、前記クッション穴に嵌め込まれ前記第二の筐体が閉じた時に当接するクッションの中実部を構成し前記基板に固定された凸条と、前記クッションの表面を構成し前記凸条の上部を覆う表面部と、前記スイッチを覆うともに前記表面部と一体に形成されたラバーシートとを含むことを特徴とする折り畳み式携帯用端末装置。
【請求項７】
第一の筐体と、この第一の筐体に対し開閉自在にヒンジを介して取り付けられた第二の筐体と、前記第一の筐体のフロントケースに設けられたクッション穴に嵌め込まれ前記第二の筐体が閉じた時に当接するクッションと、前記第一の筐体に設けられたキーと、前記第一の筐体内に前記クッションおよび前記キーの内側の位置を占めるように設けられた基板と、この基板上に設けられ前記キーの操作により動作させられるスイッチと、このスイッチを覆い前記クッションと一体になっているラバーシートと、前記キーに対応する部分および前記クッションを囲むように前記ラバーシートに設けられ前記フロントケースの内面密接する防水リブとを含むことを特徴とする折り畳み式携帯用端末装置。
【請求項８】
第一の筐体と、この第一の筐体に対し開閉自在にヒンジを介して取り付けられた第二の筐体と、前記第一の筐体のフロントケースに設けられたクッション穴に嵌め込まれ前記第二の筐体が閉じた時に当接するクッションと、前記第一の筐体に設けられたキーと、前記第一の筐体内に前記クッションおよび前記キーの内側の位置を占めるように設けられた基板と、この基板上に設けられ前記キーの操作により動作させられるスイッチと、このスイッチを覆い前記クッションと一体になっているラバーシートと、前記キーに対応する部分を囲むように前記ラバーシートに設けられ前記フロントケースの内面に密接する防水リブと、前記クッションの外周を囲むように設けられ前記クッション穴の内面に密接するクッション防水リブとを含むことを特徴とする折り畳み式携帯用端末装置。
【請求項９】
前記ラバーシート、前記ラバーシートにインサート成形された前記クッション、前記付加部分および前記凸条の少なくとも１つは、シリコンゴムであることを特徴とする請求項１〜８のいずれかに記載の折り畳み式携帯用端末装置。
【請求項１０】
前記ラバーシート、前記ラバーシートにインサート成形された前記クッション、前記付加部分および前記凸条の少なくとも１つは、ゴムであることを特徴とする請求項１〜８のいずれかに記載の折り畳み式携帯用端末装置。
【請求項１１】
前記ラバーシート、前記ラバーシートにインサート成形された前記クッション、前記付加部分および前記凸条の少なくとも１つは、軟質プラスチックであることを特徴とする請求項１〜８のいずれかに記載の折り畳み式携帯用端末装置。
【発明の詳細な説明】
【技術分野】
【０００１】
本発明は、折り畳み式携帯用端末装置に関し、特にヒンジで連結され相対向する２つの筐体の閉じる時の衝突による衝撃を緩和するためのクッションを設けた折り畳み式携帯電話に関する。
【背景技術】
【０００２】
図１は、従来の折り畳み式携帯電話の開いた状態を示す斜視図である。
【０００３】
図１において、折り畳み式携帯電話機１は、液晶側筐体２およびキー側筐体３に２分され、これらが互いの間を開閉するようにヒンジ１６により回転自在に連結されている。液晶側筐体２には、文字情報等を表示するための液晶画面４が実装され、キー側筐体３には、電話をするときに番号を入力するキー操作部５が設けられている。液晶側筐体２およびキー側筐体３は、プラスチック成型品またはマグネシウムもしくはアルミニウムなどの金属を使ったダイキャスト成型品からなる。
【０００４】
図２は、開いた状態の折り畳み式携帯電話１を正面から見た図であり、液晶側筐体２には、少なくとも通話時に相手の音声を出力するレシーバー穴６および液晶画面４が設けられている。キー側筐体３には、少なくともキー操作部５および使用者の声をマイクに伝える為のマイク穴７がもうけられている。折り畳み式携帯電話１を閉じる際に、筐体２および３同士が当たることにより、これらが傷つくことを防止するための、クッション８がキー側筐体３に貼られている。 
図３は、クッション８の役割を説明するための折り畳み式携帯電話１の開閉動作を示す側面図である。図３（ａ）は、折り畳み式携帯電話１を開いている状態の側面図、図３（ｂ）は、折り畳み式携帯電話１を閉じている状態の側面図である。
【０００５】
開状態から、閉状態に変わる時に、キー側筐体３に液晶側筐体２が衝突する場所３４が生ずることとなる。キー側筐体３の表面から突出しているキー操作部５のキートップ１１が液晶画面４に当たって、液晶画面４を傷つけないように、キー側筐体３のキートップ１１のない箇所である、ヒンジ１６が設けられた端辺の反対側の端辺に沿うようにクッション８を設置し、そのクッション８のみが液晶側筐体２とキー側筐体３とが衝突する場所３４となるようになっている。
【０００６】
また、液晶側筐体２とキー側筐体３とが衝突しても、これら筐体の塗装が剥がれたり、傷つくことを防ぐためにクッション８には、ある程度の弾力性を持たせる必要があり、シリコンゴムが用いられているのが一般的である。もっとも、その他の弾力性のあるエラストマなどの樹脂でもクッション８が作られていることもある。液晶側筐体２およびキー側筐体３それぞれは、フロントケース９とリアカバー１０とを合わせた構造からなり、折り畳み式携帯電話１を閉じる時には、液晶側筐体２のフロントケースとキー側筐体３のフロントケース９とが衝突することとなる。 
図４は、図２に示すＡＡ断面図であり、キー操作部５の断面を示す。
【０００７】
キー側筐体３のフロントケース９に設けられた穴２０に挿入され樹脂で成型されたキートップ１１がシリコンゴムで成形されたラバーシート１２に貼り付けられている。フロントケース９の内側に基板１５が配置され、スイッチの役割をするドーム型接点１３が接着シート１４により基板１５に固定させられている。キートップ１１の下端には、キートップ１１が穴２０から抜け出ないようにフランジ１９が設けられている。
【０００８】
ラバーシート１２の周囲には、キートップ１１およびドーム型接点１３を囲むように設けられた防水リブ１７が接着シート１４を介して基板１５に接するとともにフロントケース９の内面にも密接し、キートップ１１とフロントケース９との隙間を通って外部から入った水等がドーム型接点１３の側およびキー側筐体３の内部の他の部分まで浸入することを防いでいる。
【０００９】
図５は、図２に示すＢＢ断面図であり、クッション８の断面を示す。
【００１０】
キー側筐体３のフロントケース９の閉じた液晶側筐体２がに衝突する部分に溝１８を設け、溝１８にクッション８を嵌め込んで固定している。
【００１１】
図１３は、特許文献１の実開昭６２−１５１７８９号公報に開示された蓋のクッション
構造を示す断面図である。
【００１２】
留守番電話機の筐体１０２の表面側にテープ装填部１０９およびパネル１０２ａが設けられ、アーム部１１０ｂを介して蓋体１１０がテープ装填部１０９に開閉自在に取り付けられている。パネル１０２ａの内側にプリント基板１１２が配置され、パネル１０２ａに設けられた機能釦群１０６を構成するラバースイッチ１１１がプリント基板１１２上に設けられ、機能釦群１０６ａの操作によりラバースイッチ１１１に設けられた接点がオン、オフされる。
【００１３】
ラバースイッチ１１１の一部１１１ａは、テープ装填部１０９の蓋体１１０が閉じたときに蓋体１１０の回動端１１０ａが当接する部分まで臨ませ、閉蓋時において回動端１１０ａが筐体１０２に直接衝突することをラバースイッチ１１１の一部１１１ａによって緩衝して防止している。
【００１４】
【特許文献１】実開昭６２−１５１７８９号公報（第１図）
【発明の開示】
【発明が解決しようとする課題】
【００１５】
最近の折り畳み式携帯電話では、出荷量の増大により、短期間により多くの数の装置を組み立てることが求められている。その解決方法として挙げられるのが部品点数の削減である。これにより、１台の携帯電話を組み立てるのに必要な時間が減るため、組み立て数量の増大が見込める。 
また、部品点数を少なくすることは、部品調達コストの削減にもなる。 
しかし、図１〜図５に示した従来の折り畳み式携帯電話では、クッション８のために部品点数が増加し、組み立てに要する時間が長くなり、組み立て数量の増大が見込めず、部品調達コストを削減できないという問題点がある。
【００１６】
特許文献１の実開昭６２−１５１７８９号公報に開示された蓋のクッション構造では、機能釦群１０６の部分を除きシート状のラバースイッチ１１１をシート状のまま、平面的に延ばして緩衝用の一部１１１ａとしたものであり、別にクッションを設けることは不要となる。しかし、一部１１１ａの表面は機能釦群１０６が配置されたパネル１０２ａの表面よりも一段低くなり、折り畳み式携帯電話１には適用できないという問題点がある。
【００１７】
すなわち、折り畳み式携帯電話１は、キー側筐体３のフロントケース９の表面とラバーシート１２の表面との間には、フロントケース９の厚さおよびキートップ１１のフランジ１９の厚さ分だけ段差があり、特許文献１に開示されたラバースイッチ１１１を平面的に延ばして緩衝用の一部１１１ａとする構造では、折り畳み式携帯電話１のようにキー側筐体３のフロントケース９の表面で液晶側筐体２が当接するもので、液晶側筐体２がクッション８に当接するように、クッション８の表面をキー側筐体３のフロントケース９の表面とほぼ同一の面に位置させるようなことはできないからである。
【００１８】
また、特許文献１の構造のようにラバースイッチ１１１をシート状のまま延ばして緩衝用の一部１１１ａとしただけでは、一部１１１ａに蓋のクッションとしての充分なゴム硬度を持たせることは困難であるという問題点もある。
【課題を解決するための手段】
【００１９】
請求項１に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体のフロントケース（図６の９）に設けられたクッション穴（図６の２２）に嵌め込まれ前記第二の筐体が閉じた時に当接するクッション（図６の２１）と、前記第一の筐体に設けられたキー（図６の１１）と、前記第一の筐体内に前記クッションおよび前記キーの内側の位置を占めるように設けられた基板（図６の１５）と、この基板上に設けられ前記キーの操作により動作させられるスイッチ（図６の１３）と、このスイッチを覆うともに前記クッションと一体に形成されたラバーシート（図６の１２）とを含むことを特徴とする。
【００２０】
請求項２に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体のフロントケース（図１０の９）に設けられたクッション穴（図１０の２２）に嵌め込まれ前記第二の筐体が閉じた時に当接するクッション（図１０の２９）と、前記第一の筐体に設けられたキー（図１０の１１）と、前記第一の筐体内に前記クッションおよび前記キーの内側の位置を占めるように設けられた基板（図１０の１５）と、この基板上に設けられ前記キーの操作により動作させられるスイッチ（図１０の１３）と、このスイッチを覆うラバーシート（図１０の１２）とを含み、前記クッションはインサート成形により前記ラバーシートと一体化されていることを特徴とする。
【００２１】
請求項３に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体のフロントケース（図８、図９の９）に設けられたクッション穴（図８の２６、図９の２８）に嵌め込まれ前記フロントケースに隠された内側の部分の面積が前記クッション穴から露出した表面の面積よりも大きく前記第二の筐体が閉じた時に当該表面に当接するクッション（図８の２４、図９の２８）と、前記第一の筐体に設けられたキー（図８、図９の１１）と、前記第一の筐体内に前記クッションおよび前記キーの内側の位置を占めるように設けられた基板（図８、図９の１５）と、この基板上に設けられ前記キーの操作により動作させられるスイッチ（図８、図９の１３）と、このスイッチを覆い前記クッションと一体となっているラバーシート（図８、図９の１２）とを含むことを特徴とする。
【００２２】
請求項４に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体のフロントケース（図１１の９）に設けられたクッション穴（図１１の２２）に嵌め込まれ前記第二の筐体が閉じた時に当接するクッション（図１１の３０および３１）と、前記第一の筐体に設けられたキー（図１１の１１）と、前記第一の筐体内に前記クッションおよび前記キーの内側の位置を占めるように設けられた基板（図１１の１５）と、この基板上に設けられ前記キーの操作により動作させられるスイッチ（図１１の１３）と、このスイッチを覆うラバーシート（図１１の１２）とを含み、
前記クッションは、付加部分（図１１の３０）および、他の部分（図１１の３１）から構成され、予め形成された付加部分を成型用金型に入れて当該成型用金型に一の成型用部材を充填することにより前記他の部分および前記ラバーシートを成型し、前記付加部分、前記他の部分および前記ラバーシートがインサート成型を用いて一体化されていることを特徴とする。
【００２３】
請求項５に係る発明は、請求項４に記載の折り畳み式携帯用端末装置において、前記付加部分の占める領域は、前記他の部分の占める領域と前記クッションの厚さ方向において分割されていることを特徴とする。
【００２４】
請求項６に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体に設けられたクッション穴（図１２の２２）と、前記第一の筐体に設けられたキー（図１２の１１）と、前記第一の筐体内に前記クッション穴および前記キーの内側の位置を占めるように設けられた基板（図１２の１５）と、この基板上に設けられ前記キーの操作により動作させられるスイッチ（図１２の１３）と、前記クッション穴に嵌め込まれ前記第二の筐体が閉じた時に当接するクッションの中実部を構成し前記基板に固定された凸条（図１２の３２）と、前記クッションの表面を構成し前記凸条の上部を覆う表面部（図１２の３３）と、前記スイッチを覆うともに前記表面部と一体に形成されたラバーシート（図１２の１２）とを含むことを特徴とする。
【００２５】
請求項７に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体のフロントケース（図６の９）に設けられたクッション穴（図６の２２）に嵌め込まれ前記第二の筐体が閉じた時に当接するクッション（図６の２１）と、前記第一の筐体に設けられたキー（図６の１１）と、前記第一の筐体内に前記クッションおよび前記キーの内側の位置を占めるように設けられた基板（図６の１５）と、この基板上に設けられ前記キーの操作により動作させられるスイッチ（図６の１３）と、このスイッチを覆い前記クッションと一体になっているラバーシート（図６の１２）と、前記キーに対応する部分および前記クッションを囲むように前記ラバーシートに設けられ前記フロントケースの内面密接する防水リブ（図６の１７）とを含むことを特徴とする。
【００２６】
請求項８に係る発明の折り畳み式携帯用端末装置は、第一の筐体（図１の３）と、この第一の筐体に対し開閉自在にヒンジ（図１の１６）を介して取り付けられた第二の筐体（図１の２）と、前記第一の筐体のフロントケース（図７の９）に設けられたクッション穴（図７の２２）に嵌め込まれ前記第二の筐体が閉じた時に当接するクッション（図７の２１）と、前記第一の筐体に設けられたキー（図７の１１）と、前記第一の筐体内に前記クッションおよび前記キーの内側の位置を占めるように設けられた基板（図７の１５）と、この基板上に設けられ前記キーの操作により動作させられるスイッチ（図７の１３）と、このスイッチを覆い前記クッションと一体になっているラバーシート（図７の１２）と、前記キーに対応する部分を囲むように前記ラバーシートに設けられ前記フロントケースの内面に密接する防水リブ（図７の１７）と、前記クッションの外周を囲むように設けられ前記クッション穴の内面に密接するクッション防水リブ（図７の２３）とを含むことを特徴とする。
【００２７】
請求項９に係る発明は、請求項１〜８のいずれかに記載の折り畳み式携帯用端末装置において、前記ラバーシート、前記ラバーシートにインサート成形された前記クッション、前記付加部分および前記凸条の少なくとも１つは、シリコンゴムであることを特徴とする。
【００２８】
請求項１０に係る発明は、請求項１〜８のいずれかに記載の折り畳み式携帯用端末装置において、前記ラバーシート、前記ラバーシートにインサート成形された前記クッション、前記付加部分および前記凸条の少なくとも１つは、ゴムであることを特徴とする。
【００２９】
請求項１１に係る発明は、請求項１〜８のいずれかに記載の折り畳み式携帯用端末装置において、前記ラバーシート、前記ラバーシートにインサート成形された前記クッション、前記付加部分および前記凸条の少なくとも１つは、軟質プラスチックであることを特徴とする。
【発明の効果】
【００３０】
この発明の折り畳み式携帯用端末装置によれば、閉じる際の第一および第二の筐体の衝突を緩和するクッションの機能は果たしつつも、クッションとラバーシートとを一体化することにより、部品点数を削減することができる。また、従来は必要であったクッションをフロントケースに貼り付ける作業も削除できる。 
【発明を実施するための最良の形態】
【００３１】
以下に説明する本発明の実施の形態の折り畳み式携帯電話は、クッション８および、その周辺部を除き図１〜図５に示した折り畳み式携帯電話１と同じであり、対応する部分には図１〜図５に示した折り畳み式携帯電話１と同じ参照符号を用いて説明する。
【００３２】
図６は、本発明の第一の実施の形態の折り畳み式携帯電話の図２のＢＢ断面に相当する部分の断面図である。
【００３３】
キー側筐体３のフロントケース９に図５中の溝１８と同じ位置に同じ平面形状のクッション穴２２を空けている。また、ラバーシート１２のクッション穴２２に対応する位置に同じ平面形状の部分を突出させクッション２１とし、クッション２１の上部をクッション穴２２に嵌め込んでいる。クッション２１の下端面は、接着シート１４を介して基板１５に接し、上端面は、図５中のクッション８と同様にフロントケース９の表面より少し上に突出して、閉じた液晶側筐体２を受けるように形成されている。
【００３４】
クッション２１は、ラバーシート１２とともにシリコンゴムで一体成型され、弾性により液晶側筐体２の衝突を緩衝する機能を果たしつつ、ラバーシート１２との一体化により折り畳み式携帯電話の部品点数を削除する効果を奏している。 
図６において、防水リブ１７はドーム型接点１３およびキートップ１１のほかにクッション２１も囲い込むようにラバーシート１２の周囲に設けられ、キートップ１１だけでなくクッション２１とフロントケース９との隙間を通って外部から入り込む水等がキー側筐体３の内部に浸入するのを防止している。
【００３５】
図７は、本発明の第二の実施の形態の折り畳み式携帯電話の図２のＢＢ断面に相当する部分の断面図である。
【００３６】
本実施の形態は、クッション２１の外周を一周する防水リブ２３を設け、防水リブ２３をクッション穴２２の内面に密着させ、クッション２１とフロントケース９との隙間からの水等の浸入は防水リブ２３で防止している。この場合には、防水リブ１７はドーム型接点１３およびキートップ１１を囲むように設ければよい。
【００３７】
ラバーシート１２を突出させてクッション２１としていること、その他は図６に示す第一の実施の形態と同じである。
【００３８】
図８は、本発明の第三の実施の形態の折り畳み式携帯電話１の図２のＢＢ断面に相当する部分の断面図である。
【００３９】
本実施の形態は、クッション２４のキートップ１１の側およびその反対側の両側に段差部２５を設け、クッション２４の上部よりも下部の幅を広げている。対応してフロントケース９に設けられクッション２４が嵌め込まれるクッション穴２６にも段差を設けている。
【００４０】
ラバーシート１２を突出させてクッション２４としていること、その他は図６に示す第一の実施の形態と同じである。
【００４１】
クッション２４をラバーシート１２と同一材料で一体成型し、突出させるべく厚さを大きくした場合には、材料としての硬度をラバーシートとして最適な値に設定すると、厚さが大きいことから柔軟性が過度に高くなり、折り畳み式携帯電話１を強く閉じるとクッション２４による緩衝が充分に働かず、液晶側筐体２とキー側筐体３とが直接衝突してしまい、大きな衝撃が生じることがある。
【００４２】
そこで本実施の形態では、クッション２４の上部は、液晶側筐体２が当接する部分に対応して従来のクッション８と同一の平面形状とするが、フロントケース９に隠された下部の幅を大きくし、液晶側筐体２の衝突により生じる圧縮力の方向と直交する断面の面積を大きくし、クッション２４全体での実質的なばね定数を上げ、クッション２４が充分な緩衝機能を奏するようにしている。
【００４３】
クッション２４の両側のみならず両端部にも段差部２５を設け、クッション２４の全側面を一周するように段差部２５を設けてもよい。この場合には、クッション２４の下部がクッション穴２６の段差部と基板１５との間で圧縮され、クッション２４の段差部２５がクッション穴２６の段差部に密着するようにすれば、この部分でクッション２４回りの防水を果たすことができ、図７中の防水リブ２３のようなものを設けることなく防水リブ１７をキートップ１１のみを囲むようにしてもよくなる。
【００４４】
なお、フロントケース９が薄い場合には、フロントケース９の内面に接して、またはフロントケース９の内面と接着シート１４との間においてクッション２４のキートップ１１の側およびその反対側の両側に段差部２５を設け、クッション穴には段差を設けないようにすることもできる。
【００４５】
図９は、本発明の第四の実施の形態の折り畳み式携帯電話の図２のＢＢ断面に相当する部分の断面図である。
【００４６】
本実施の形態は、クッション２７のキートップ１１の側およびその反対側の両側を傾斜させクッション２７の断面が下辺の長いほぼ台形となるようにし、クッション２４の上部よりも下部の幅を広げている。対応してフロントケース９に設けられクッション２４が嵌め込まれるクッション穴２８の内面も傾斜させている。
【００４７】
ラバーシート１２を突出させてクッション２７としていること、その他は図６に示す第一の実施の形態と同じである。
【００４８】
本実施の形態でも、クッション２７の上部の表面は、液晶側筐体２が当接する部分に対応して従来のクッション８と同一の平面形状とするが、フロントケース９に隠された下部の幅を大きくし、液晶側筐体２の衝突により生じる圧縮力の方向と直交する断面の面積を大きくし、クッション２７全体での実質的なばね定数を上げ、クッション２７が充分な緩衝機能を奏するようにしている。
【００４９】
クッション２７の両側のみならず両端部も下方ほど出っ張るように傾斜させ、クッション２７の全側面を傾斜させてもよい。この場合にも、クッション２７の全側部がクッション穴２８の内面と基板１５との間で圧縮され、クッション２７の全側面がクッション穴２８に密着するようにすれば、この部分でクッション２７回りの防水を果たすことができ、図７中の防水リブ２３のようなものを設けることなく、防水リブ１７をキートップ１１のみを囲むようにしてもよくなる。
【００５０】
なお、クッション２７のキートップ１１の側およびその反対側で傾斜の程度を変えてもよく、片側のみに傾斜を設けてもよい。図８に示す折り畳み式携帯端末装置でも、クッション２４の両側で段差部２５の段差の大きさや高さを変えてもよく、片側のみに段差部２５を設けてもよい。また、クッションの一方の側には段差部２５を設け、他方の側には傾斜を設けるようにもできる。また、クッションの各側で段差および傾斜を組み合わせた形状とし、段差部２５の上側と下側とで傾斜の程度を変えたり、上側および下側のいずれかにのみ傾斜を設けるようにもできる。
【００５１】
図６に示す本発明の第一の実施の形態のように、ラバーシート１２とクッション２１とを一体化しただけの構成では、ラバーシート１２のキー部分のゴム硬度と、クッション２１のゴム硬度は同じになることは避けられない。しかし、ラバーシート１２にクッションをインサート成形すれば、ラバーシート１２とクッションとを異種材料とし、これらのゴム硬度を異ならせることができる。例えば、ラバーシート１２のキー部分のゴム硬度は柔らかくして、クッション部分のゴム硬度を堅くすることもできる。
【００５２】
ここでインサート成型とは、予めクッションのみを成型し、この成形後のクッションをラバーシート１２のキー側の樹脂が充填されていない成型用金型に挿入した後で、この金型にラバーシート１２のキー部分の樹脂を充填し成型することによって、異種材料であるクッションとラバーシート１２とを一体化する成型方法である。 
図１０は、本発明の第五の実施の形態の折り畳み式携帯電話の図２のＢＢ断面に相当する部分の断面図である。
【００５３】
本実施の形態では、予めクッション２９をクッション穴２２に嵌め込まれ、底面が基板１５上の接着シート１４に接し、上面がフロントケース９の表面より少し突出するような形状に、クッションとして適したゴム硬度のシリコンゴムで形成しておく。このように形成したクッション２９を成型用金型に入れて、ラバーシート１２をこれに適したシリコンゴムを金型に充填してインサート成形する。このようにラバーシート１２と一体成型されたクッション２９の上部をクッション穴２２に嵌め込むことにより、ラバーシート１２をフロントケース９に取り付ける。
【００５４】
本実施の形態の他の部分は、図６に示す第一の実施の形態と同じである。
【００５５】
図１１は、本発明の第六の実施の形態の折り畳み式携帯電話の図２のＢＢ断面に相当する部分の断面図である。
【００５６】
本実施の形態では、予めクッションの上部（請求項４での付加部分に相当）３０をクッション穴２２に嵌め込まれ、上面がフロントケース９の表面より少し突出するようにし、底部が基板１５上の接着シート１４までには達しないような形状に、適当なゴム硬度のシリコンゴムで形成する。このように形成したクッションの上部３０を成型用金型に入れて、クッションの下部３１およびラバーシート１２をこれに適したシリコンゴムを金型に充填してインサート成形する。このようにクッションの下部３１およびラバーシート１２と一体成型されたクッションの上部３０（またはクッションの上部３０およびクッションの下部３１の一部）をクッション穴２２に嵌め込むことにより、ラバーシート１２をフロントケース９に取り付ける。
【００５７】
本実施の形態の他の部分は、図６に示す第一の実施の形態と同じである。
【００５８】
本実施の形態では、ラバーシート１２と異なるゴム硬度のクッションの上部３０の厚さを適切に設定し、この厚さとラバーシート１２と同じ材料で同じゴム硬度のクッションの下部３１の厚さとの比率を適切にし、クッションの上部３０および下部３１の全体での実質的なばね定数をクッションとして最適なものにすることができる。
【００５９】
図１０や図１１のようにインサート成型を用いクッション２９やクッションの上部３０を形成する場合は、これらの色や透明性等をラバーシート１２の他の部分と異ならせることにより、折り畳み式携帯電話の意匠的な価値を高めることもできる。
【００６０】
図１２は、本発明の第七の実施の形態の折り畳み式携帯電話の図２のＢＢ断面に相当する部分の断面図である。
【００６１】
本実施の形態では、基板１５のクッション穴２２に対応する位置に図６中のクッション２１の表面および外側面の部分を除いた中実部を構成する凸条３２を基板１５に固定しておく。
凸条３２には、シリコンゴムのほか、ゴム、種々のプラスチック、金属等を用いることができる。
【００６２】
図６中のクッション２１の中実部およびラバーシート１２以下の部分を除いた部分である表面部３３をラバーシート１２とともに一体に成型しておき、表面部３３を凸条３２に被せるように嵌め込みラバーシート１２を基板１５上に取り付けた後に、表面部３３をクッション穴２２に嵌め込んでラバーシート１２および基板１５をフロントケース９に取り付ける。
【００６３】
本実施の形態の他の部分は、図６に示す第一の実施の形態と同じである。
【００６４】
本実施の形態では、図５に示したような従来の別個のクッション８は不要となるが、凸条３２が必要となる。しかし、予め基板１５に他の回路部品等とともに凸条３２を組み込んでパッケージとして一体化しておけば、このパッケージを用いて折り畳み式携帯電話を組み立てる際には、別個にクッションを用意する必要がなく、従来のクッション８をフロントケース９に貼り付けるような作業も不要となる。
【００６５】
本実施の形態においても、凸条３２および表面部３３のゴム硬度を考慮して凸条３２の高さ、および表面部３３の厚さを適切にすることにより、クッションとして適した実質的なばね定数を得ることができる。
【００６６】
なお、凸条３２の部分を表面部３３の部分およびラバーシート１２の他の部分と一体となるようにインサート成型しておき、一体成形後に表面部３３をクッション穴２２に嵌め込むようにすることもできる。この場合には凸条３２は請求項４での付加部分に相当する。
【００６７】
また、図８に示す段差部２５を設けたクッション２４や図９に示す側部を傾斜させたクッション２７を予めラバーシート１２とは異なる材質で別に成形しておき、次にクッション２４や２７を入れてラバーシート１２をインサート成形することもできる。また、インサート成形する図１０〜図１１に示したクッション２９、クッションの上部３０や図１２に示した表面部３３に図７に示した防水リブ２３を設けることもできる。このように、本発明による折り畳み式携帯電話等の第一および第二の筐体の相互の衝突を緩衝するためのクッションとして、様々な構造のものを適用できる。
【００６８】
また、本発明は折り畳み式携帯電話に限られず、折り畳み式のＰＨＳその他の携帯用端末装置にも適用可能である。
【産業上の利用可能性】
【００６９】
折り畳み式携帯電話を閉じる際の液晶側筐体とキー側筐体の衝突を緩衝するためのクッションとして適用できる。
【図面の簡単な説明】
【００７０】
【図１】従来の折り畳み式携帯電話１の開いた状態の斜視図である。
【図２】図１に示す折り畳み式携帯電話１の開いた状態の正面図である。
【図３】（ａ）は、図１に示す折り畳み式携帯電話１の開いた状態の側面図である。
【００７１】
（ｂ）は、図１に示す折り畳み式携帯電話１の閉じた状態の側面図である。
【図４】図２のＡＡ断面図である。
【図５】図２のＢＢ断面図である。
【図６】本発明の第一の実施の形態の折り畳み式携帯電話の図２のＢＢ断面に相当する部分の断面図である。
【図７】本発明の第二の実施の形態の折り畳み式携帯電話の図２のＢＢ断面に相当する部分の断面図である。
【図８】本発明の第三の実施の形態の折り畳み式携帯電話の図２のＢＢ断面に相当する部分の断面図である。
【図９】本発明の第四の実施の形態の折り畳み式携帯電話の図２のＢＢ断面に相当する部分の断面図である。
【図１０】本発明の第五の実施の形態の折り畳み式携帯電話の図２のＢＢ断面に相当する部分の断面図である。
【図１１】本発明の第六の実施の形態の折り畳み式携帯電話の図２のＢＢ断面に相当する部分の断面図である。
【図１２】本発明の第七の実施の形態の折り畳み式携帯電話の図２のＢＢ断面に相当する部分の断面図である。
【図１３】特許文献１の実開昭６２−１５１７８９号公報に開示された蓋のクッション構造を示す断面図である。
【符号の説明】
【００７２】
１    折り畳み式携帯電話
２    液晶側筐体
３    キー側筐体
４    液晶画面
５    キー操作部
６    レシーバー穴
７    マイク穴
８    クッション
９    フロントケース
１０    リアカバー
１１    キートップ
１２    ラバーシート
１３    ドーム型接点
１４    接着シート
１５    基板
１６    ヒンジ
１７    防水リブ
１８    溝
１９    フランジ
２０    穴
２１    クッション
２２    クッション穴
２３    防水リブ
２４    クッション
２５    段差部
２６    クッション穴
２７    クッション
２８    クッション穴
２９    クッション
３０    クッションの上部
３１    クッションの下部
３２    凸条
３３    表面部
３４    場所
１０２    筐体
１０２ａ    パネル
１０６    機能釦群
１０９    テープ装填部
１１０    蓋体
１１０ａ    回動端
１１１    ラバースイッチ
１１２    プリント基板
【図１】
2005159566.tif 000003
【図２】
2005159566.tif 000004
【図３】
2005159566.tif 000005
【図４】
2005159566.tif 000006
【図５】
2005159566.tif 000007
【図６】
2005159566.tif 000008
【図７】
2005159566.tif 000009
【図８】
2005159566.tif 000010
【図９】
2005159566.tif 000011
【図１０】
2005159566.tif 000012
【図１１】
2005159566.tif 000013
【図１２】
2005159566.tif 000014
【図１３】
2005159566.tif 000015